(57)【要約】【課題】コンピュータ又はコンピュータシステムにおいて、最適化環境設定を容易に実現し、最適化環境設定情報を用いて、最適化環境設定を復元又は複製すること。使用するプログラムが最適化環境設定情報に合わせて、機能を付加又は制限を行うことを可能とする。【解決手段】コンピュータ又はコンピュータシステム又はプログラムにおいて、印刷されたメニュー又は最適化環境設定用プログラムを用いて、最適化環境設定を構築する。最適化環境設定情報を設定コードとして、印刷又は可搬性記憶媒体又はネットワークに接続したサーバに保存する。保存した最適化環境設定情報は、最適化環境設定復元プログラムを利用し、復元又は複製できる。必要に応じて保存した最適化環境設定情報を読み込み、使用するプログラムにおいて、使用者又は使用する環境に適切な機能を付加又は制限し、最適な環境を提供する。【選択図】図１３
2006235779.tif 000002
【特許請求の範囲】
【請求項１】
文字の大きさ又は表示色等のコンピュータの表示設定、入力機器等のコンピュータの入力設定、記憶装置を含むコンピュータに付随する機器及びコンピュータソフトの設定を、  各設定項目又は設定内容を印刷されたメニューを使用する手段を用いることにより、コンピュータの使用者に最も使用しやすい環境、すなわち最適化環境を構築する支援システム。
【請求項２】
文字の大きさ又は表示色等のコンピュータの表示設定、入力機器等のコンピュータの入力設定、記憶装置を含むコンピュータに付随する機器及びコンピュータソフトの設定を、  コンピュータに接続することが可能である可搬性記憶媒体に保存された最適環境設定情報を導くための設定プログラムを、コンピュータ上で実行させ、接続されている機器により特定できる設定項目については自動で設定を行い、使用者に選択することが必要な設定項目についてはプログラムにて設定が行える手段を用いることにより、コンピュータの使用者に最も使用しやすい環境、すなわち最適化環境を構築する支援システム。
【請求項３】
文字の大きさ又は表示色等のコンピュータの表示設定、入力機器等のコンピュータの入力設定、記憶装置を含むコンピュータに付随する機器及びコンピュータソフトの設定を、  コンピュータに接続することが可能であるネットワーク上に存在するサーバから最適環境設定情報を導くための設定プログラムをダウンロードし、コンピュータ上で実行させ、接続されている機器により特定できる設定項目については自動で設定を行い、使用者に選択することが必要な設定項目についてはプログラムにて設定が行える手段を用いることにより、コンピュータの使用者に最も使用しやすい環境、すなわち最適化環境を構築する支援システム。
【請求項４】
文字の大きさ又は表示色等のコンピュータの表示設定、入力機器等のコンピュータの入力設定、記憶装置を含むコンピュータに付随する機器及びコンピュータソフトの設定を、  コンピュータに接続することが可能であるネットワーク上に存在するサーバから最適環境設定情報を導くための設定プログラムをサーバ上で実行させ、接続されている機器により特定できる設定項目については自動で設定を行い、使用者に選択することが必要な設定項目についてはプログラムにて設定が行える手段を用いることにより、コンピュータの使用者に最も使用しやすい環境、すなわち最適化環境を構築する支援システム。
【請求項５】
請求項１又は請求項２又は請求項３又は請求項４により得られたコンピュータの最適化された設定情報を、設定コードとして印刷機器より印刷する手段を用いて、コンピュータの使用者の最適化環境情報を保管する支援システム。
【請求項６】
請求項１又は請求項２又は請求項３又は請求項４により得られたコンピュータの最適化された設定情報を、コンピュータに接続可能な可搬性記憶媒体に保存する手段を用いて、コンピュータの使用者の最適化環境情報を保管する支援システム。
【請求項７】
請求項１又は請求項２又は請求項３又は請求項４により得られたコンピュータの最適化された設定情報を、コンピュータに接続可能なネットワーク上に存在する最適化環境設定情報保管用サーバに保存する手段を用いて、コンピュータの使用者の最適化環境情報を保管する支援システム。
【請求項８】
コンピュータ上で最適化環境設定情報を反映させる為のプログラムを動作させ、請求項５で得られた設定コードを入力することで、文字の大きさ又は表示色等のコンピュータの表示設定、入力機器等のコンピュータの入力設定、記憶装置を含むコンピュータに付随する機器及びコンピュータソフトの設定を復元又は複製する手段を用いる支援システム。
【請求項９】
コンピュータ上で最適化環境設定情報を反映させる為のプログラムを動作させ、コンピュータに接続可能な可搬性記憶媒体に保管された請求項６により得られた最適化環境設定情報をコンピュータが読み込むことで、文字の大きさ又は表示色等のコンピュータの表示設定、入力機器等のコンピュータの入力設定、記憶装置を含むコンピュータに付随する機器及びコンピュータソフトの設定を復元又は複製する手段を用いる支援システム。
【請求項１０】
コンピュータ上で最適化環境設定情報を反映させる為のプログラムを動作させ、ネットワーク上に接続された最適化環境設定情報保管用サーバに保管された請求項７により得られた最適化環境設定情報を読み込むことで、文字の大きさ又は表示色等のコンピュータの表示設定、入力機器等のコンピュータの入力設定、記憶装置を含むコンピュータに付随する機器及びコンピュータソフトの設定を復元又は複製する手段を用いる支援システム。
【請求項１１】
請求項１から請求項１０により設定又は得られた最適化環境設定情報に基づいて、文字の大きさ又は表示色等のコンピュータの表示設定、入力機器等のコンピュータの入力設定、記憶装置を含むコンピュータに付随する機器及びコンピュータソフトの設定の調整を自動で行い、機能の付加又は機能の制限を行う手段を用いるコンピュータ又はコンピュータソフト又は支援システム。
【請求項１２】
請求項１から請求項１０により設定又は得られた最適化環境設定情報を、最適化環境設定を行っていないコンピュータに複製する手段を用いることが出来る支援システム。
【請求項１３】
請求項１から請求項１２に示したいずれかの手段を用いて、使用者又は使用環境又は使用機器により最適化設定ができる支援システム。
【発明の詳細な説明】
【技術分野】
【０００１】
本発明は、コンピュータシステム又はコンピュータ又はプログラムに関し、コンピュータにおける設定を最適化させ、他のコンピュータに最適化環境設定を反映させ、同一の最適化環境を構築することが可能になり、コンピュータシステム又はコンピュータ又はプログラムが、使用者に提供する機能の付加や機能の制限を、最適化環境設定情報に基づいて調整するものである。
【背景技術】
【０００２】
１つのコンピュータにおける環境情報を、ネットワークを介して他の１つのコンピュータに移行するものである。
【０００３】
これは、コンピュータの環境情報を移動するシステムである。
【０００４】
複数のコミュニケーションメディアを連携させることにより効率のよいコミュニケーションを実現するものがある。
【０００５】
これは余分な操作無しでメディア間の連携機能を利用できるものであり、環境に合わせて適切なメディア制御プログラムを選択できるものである。
【０００６】
自動的に環境の設定を実現する、コンピュータネットワークの構成管理方法がある。
【０００７】
これは、コンピュータネットワークにおいて、ネットワークやユーザ構成の設定を１台に対して行うだけで全てのワークステーションに自動的に反映させ、システム管理者の負かを削減することを図るものである。
【特許文献１】特開平６−３３７８２８号公報
【特許文献２】特開平９−１８２０４６号公報
【特許文献３】特開平８−３０５３４号公報
【発明の開示】
【発明が解決しようとする課題】
【０００８】
しかしながら、従来の手段では、使用者に対する最適なコンピュータの環境を実現するものはなかった。
【０００９】
最適な設定だけでなく、使用するコンピュータ又はコンピュータシステム又はプログラムにおいて、必要に応じた機能の付加又は機能の制限を提供することができなかった。
【００１０】
本発明はコンピュータ又はコンピュータシステム又はプログラムにおける課題を解決せんとしてなされたもので、その目的は、コンピュータにおいて使用者に最適な環境を実現し、復元又は複製することの可能なコンピュータ又はコンピュータシステム又はプログラムを提供することであり、使用者の最適化環境設定情報に基づいて、自動又は選択を行うことで、コンピュータ又はコンピュータシステム又はプログラムにおいて機能の付加又は機能の制限を行うものである。
【課題を解決するための手段】
【００１１】
請求項１に記載のシステムは、文字の大きさ又は表示色等のコンピュータの表示設定、入力機器等のコンピュータの入力設定、記憶装置を含むコンピュータに付随する機器及びコンピュータソフトの設定が記載された印刷物であるメニューを用いて、使用する個人が最も快適に使用できる環境を策定することを支援する。印刷物のメニューには、カラー又はグレースケールで、必要に応じて実寸大で表示された表示方式と、入力方法、各種設定項目、変更する際に必要な設定方法を記載しており、使用者がメニューに記載された項目に基づき選択しながら設定し、使用者が最も快適にコンピュータ又はコンピュータシステム又はプログラムを使用できる環境、つまり最適化環境設定ができる手順であり、それらを含む支援システムである。
【００１２】
請求項２に記載のシステムは、可搬性の記憶媒体を着脱可能に保持し、可搬性記憶媒体上に最適化環境設定用プログラム（最適化環境設定情報を導くためのプログラム）を保管しておく。可搬性記憶媒体から最適化環境設定を行うコンピュータ上で最適化環境設定用プログラムを動作させ、使用者が最も快適に使用できる環境を策定する手順を行う。最適化環境設定用プログラムでは、カラー又はグレースケールにて、必要に応じて実寸大で表示された表示方式と、入力方法、各種設定項目が記載されており、最適化環境設定用プログラムにて選択していき、使用者が最も快適に使用できる環境、つまり最適化ができるように構築されている。入力方法等においては、実際の動きを行い確認しながら、最適化環境設定情報を導き出す手順であり、それらを含む支援システムである。
【００１３】
請求項３に記載のシステムは、ネットワーク上に接続されたサーバ上に最適化環境設定用プログラムを保存しておく。ネットワーク上に接続した最適化環境設定を行うコンピュータと、最適化環境設定用プログラムを保存しているサーバを接続し、最適化環境設定用プログラムを最適化環境設定するコンピュータ上に最適化環境設定用プログラムをダウンロードし、最適化環境設定を行うコンピュータ上で最適化環境設定用プログラムを動作させ、使用者が最も快適に使用できる環境を策定する手順を行う。最適化環境設定用プログラムでは、カラー又はグレースケールにて、必要に応じて実寸大で表示された表示方式と、入力方法、各種設定項目が記載されており、最適化環境設定用プログラムにて選択していき、使用者が最も快適に使用できる環境、つまり最適化ができるように構築されている。入力方法等においては、実際の動きを行い確認しながら、最適化環境設定情報を導き出す手順であり、それらを含む支援システムである。
【００１４】
請求項４に記載のシステムは、ネットワーク上に接続されたサーバ上に最適化環境設定用プログラムを保存しておく。ネットワーク上に接続した最適化環境設定を行うコンピュータと、最適化環境設定用プログラムを保存しているサーバを接続し、サーバ上で最適化環境設定用プログラムを動作させ、使用者が最も快適に使用できる環境を策定する手順を行う。最適化環境設定用プログラム動作中は、サーバは最適化環境設定を行うコンピュータから現在の環境設定又は接続機器の情報を受け取る。最適化環境設定用プログラムでは、カラー又はグレースケールにて、必要に応じて実寸大で表示された表示方式と、入力方法、各種設定項目が記載されており、最適化環境設定用プログラムにて選択していき、使用者が最も快適に使用できる環境、つまり最適化ができるように構築されている。入力方法等においては、実際の動きを行い確認しながら、最適化環境設定情報を導き出す手順であり、それらを含む支援システムである。
【００１５】
請求項５に記載のシステムは、最適化環境設定用プログラムを実行し、得られた最適化環境設定情報を、設定コードとしてコンピュータに接続した印刷機器等から印刷し、最適化環境設定情報を保管する手段を用いる。印刷された設定コードを入力することによって最適化環境設定が復元又は複製が容易になるため、最適化環境設定情報を保存することができる支援システムである。
【００１６】
請求項６に記載のシステムは、最適化環境設定用プログラムを実行し、得られた最適化環境設定情報を、最適化環境設定を行ったコンピュータに接続可能な可搬性記憶媒体上に保管する手段を用いる。可搬性記憶媒体上に保管することで、可搬性記憶媒体が利用可能な他の最適化環境設定を行うコンピュータにおいて、最適化環境設定情報を読み出すことが可能となり、最適化環境設定を復元することが容易になるため、最適化環境設定情報を保存することができる支援システムである。
【００１７】
請求項７に記載のシステムは、最適化環境設定用プログラムを実行し、得られた最適化環境設定情報を、ネットワーク上に接続されたサーバ上に保管する手段を用いる。ネットワークに接続されたサーバへ接続可能な他の最適化環境設定を行うコンピュータにおいて、最適化環境設定情報を読み出すことで、最適化環境設定を復元することが容易になるため、最適化環境設定情報を保存することができる支援システムである。
【００１８】
請求項８に記載のシステムは、最適化環境設定が行われていないコンピュータ上で、最適化環境設定復元用プログラムを実行させ、既に最適化環境設定を行ったコンピュータから印刷された最適化環境設定情報の設定コードを入力する手段を用いる。最適化環境設定情報の設定コードにより、最適化環境設定用プログラムが最適化を行い、最適化環境設定を復元又は複製することができる支援システムである。
【００１９】
請求項９に記載のシステムは、最適化環境設定が行われていないコンピュータ上で、最適化環境設定復元用プログラムを実行させ、既に最適化環境設定を行ったコンピュータから保存された最適化環境設定情報を、可搬性記憶媒体から読み込む手段を用いる。可搬性記憶媒体から得られた最適化環境設定情報により、最適化環境設定復元用プログラムが最適化を行い、最適化環境設定を復元又は複製することができる支援システムである。
【００２０】
請求項１０に記載のシステムは、最適化環境設定が行われていないコンピュータ上で、最適化環境設定復元用プログラムを実行させ、既に最適化環境設定を行ったコンピュータから保存された最適化環境設定情報を、ネットワーク上にある最適化環境設定情報が保存しているサーバから読み込む手段を用いる。ネットワーク上にある最適化環境設定情報が保存しているサーバから得られた最適化環境設定情報により、最適化環境設定復元用プログラムが最適化を行い、最適化環境を復元又は複製することができる支援システムである。
【００２１】
請求項１１に記載のシステムは、コンピュータ上又はサーバ上で動作するプログラムが保存している最適化環境設定情報を読み出し、最適化環境設定情報に基づいて、文字の大きさ又は色等の表示設定、入力機器の諸設定、記憶装置を含むコンピュータに付随する機器又はプログラムの諸設定を自動的に行う手段のものである。特に障害者等で多く使われる機器が接続されている場合は、自動的に拡大文字や特殊な入力設定に移行し、自動車へ車載されるような情報があった場合は、音声認識又は音声出力のみの動作になる等、プログラムが提供する機能を自動的又は手動で、機能を付加又は機能を制限することが可能になる支援システムである。
【００２２】
請求項１２に記載のシステムは、最適化環境設定を行ったコンピュータの最適化環境設定情報は、最適化環境設定復元用プログラムが利用できるコンピュータであれば復元又は複製することが可能である。復元又は複製の際、読み出した最適化環境設定情報と異なるコンピュータの環境であった場合、復元又は複製できる範囲内で自動的に最適化環境設定が行われる支援システムである。
【００２３】
請求項１３に記載のシステムは、使用者又は使用環境又は使用機器等の情報に基づいて、コンピュータ又はコンピュータシステム又はプログラムの設定において、最適化環境設定情報が導き出される支援システムである。
【発明の効果】
【００２４】
コンピュータ又はコンピュータシステム又はプログラムにおいて、特殊な設定が必要な使用者がいた場合、再設定する時間が大幅に短縮される。
【００２５】
コンピュータ又はコンピュータプログラム又はプログラムにおいて、使用者に最適な環境を構築できる。
【００２６】
同程度の能力を持った使用者の場合、同じ仕様の複数台のコンピュータ又はコンピュータシステム又はプログラムの最適化設定を行う際、設定時間を大幅に短縮することができる。
【００２７】
新しいコンピュータ又はコンピュータシステム又はプログラムを購入した際も、最適化環境設定が最大限自動化することが出来、大幅な設定時間の短縮と、設定項目のミスが発生することを防ぐ。
【００２８】
コンピュータ又はコンピュータシステム又はプログラムを使用する障害者又は初心者又は高齢者等、最適化環境設定を行うことが難しい使用者にも、容易に最適化環境設定ができる。
【００２９】
使用するコンピュータ又はコンピュータシステム又はプログラムを、拡張又は一部機能の削減した場合、最適化環境設定を行うことが容易になる。
【００３０】
コンピュータ又はコンピュータシステム又はプログラムが破損し、急遽他のコンピュータ又はコンピュータシステムに切り替える場合、最適化環境設定の時間を大幅に短縮することが出来る。
【００３１】
ネットワークに接続されたサーバに最適化環境設定情報を保存することにより、遠隔地にあるコンピュータ又はコンピュータシステムにおいて、最適化環境設定を実現することが可能である。
【００３２】
情報保護の観点から、ネットワークに接続したサーバに情報を残したくない使用者や企業において、可搬性記憶媒体や設定コードの印刷による方法等、最適化環境設定復元方法を選択することができるため、最適化環境設定情報の管理が容易である。
【００３３】
車載用コンピュータなど表示方法が制限されるような特殊な使用環境下において、最適化環境設定により利用できる機能や表示方法などが制限でき、また必要に応じて機能を付加することが可能であるため、特殊な環境下で利用するコンピュータ又はコンピュータシステム又はプログラムを、安全面や効率面で効果的に使用できる。
【発明を実施するための最良の形態】
【００３４】
最適化環境設定されていないコンピュータに最適化環境設定を行う方法として図１を示す。最適化環境設定を行いたいコンピュータを準備する。また最適化環境設定するための内容を印刷したメニューを準備する。このメニューには実寸大で表示項目の最適値を選択することが出来る内容と実際の設定方法が記載されている。またこのメニューはコンピュータのＯＳ又は仕様によって、使い分けられるものを用意する。最適化環境設定を実施したいコンピュータに対し、メニューを参照しながら最適化環境設定を行う。設定項目は表示機能、入力機能、コンピュータに付随する機器の制御等に分かれており、それぞれの項目に対してアンケート形式で回答していくことで最適化環境設定を構築することが出来る。終了時には最適化環境設定情報を保存することができる。
【００３５】
最適化環境設定されていないコンピュータに最適化環境設定を行う方法として図２を示す。最適化環境設定を行いたいコンピュータを準備する。最適環境設定を行いたいコンピュータに接続可能な可搬性記憶媒体を準備する。可搬性記憶媒体には最適化環境設定用プログラムが保存されている。最適環境設定を行いたいコンピュータに可搬性記憶媒体を接続し、最適化環境設定用プログラムを、最適環境設定を行いたいコンピュータにコピーする。最適化環境設定を行いたいコンピュータ上で最適化環境設定用プログラムを実行する。コンピュータ又はコンピュータシステム又はプログラムの仕様に基づいて自動設定を行える部分を行い、手動で行う部分は使用者が最適化環境設定用プログラムで質問項目を選択しながら最適化環境設定を行う。最適化環境設定用プログラムが完了した段階で最適化環境設定が完了し、最適化環境設定情報を保存することが出来る。
【００３６】
最適化環境設定されていないコンピュータに最適化環境設定を行う方法として図３を示す。最適化環境設定を行いたいコンピュータを準備する。最適環境設定を行いたいコンピュータに接続可能な可搬性記憶媒体を準備する。接続可能なネットワークに接続したサーバを準備する。サーバには最適化環境設定用設定プログラムが保存されている。最適化環境設定を行いたいコンピュータをサーバへ接続し、最適化環境設定用プログラムを、最適環境設定を行いたいコンピュータにコピーする。最適化環境設定を行いたいコンピュータ上で最適化環境設定用プログラムを実行する。コンピュータ又はコンピュータシステム又はプログラムの仕様に基づいて自動設定を行える部分を行い、手動で行う部分は使用者が最適化環境設定用プログラムで質問項目を選択しながら最適化環境設定を行う。最適化環境設定用プログラムが完了した段階で最適化環境設定が完了し、最適化環境設定情報を保存することが出来る。
【００３７】
最適化環境設定されていないコンピュータに最適化環境設定を行う方法として図４を示す。最適化環境設定を行いたいコンピュータを準備する。最適環境設定を行いたいコンピュータに接続可能な可搬性記憶媒体を準備する。接続可能なネットワークに接続したサーバを準備する。サーバには最適化環境設定用設定プログラムが保存されている。最適化環境設定を行いたいコンピュータをサーバへ接続し、サーバ上で最適化環境設定用プログラムを実行する。コンピュータ又はコンピュータシステム又はプログラムの仕様に基づいて自動設定を行える部分を行い、手動で行う部分は使用者が最適化環境設定用プログラムで質問項目を選択しながら最適化環境設定を行う。最適化環境設定用プログラムが完了した段階で最適化環境設定が完了し、最適化環境設定情報を保存することが出来る。
【００３８】
最適化環境設定情報が保存される方法について図５に示す。最適化環境設定が完了したコンピュータ上で最適化環境情報の保存用プログラムを動作させ、設定用コードを用意する。設定用コードは使用者が再入力できる文字コードで表現される。最適化環境設定が完了したコンピュータ上に接続している印刷機器を用いて、設定用コードを印刷する。印刷された設定用コードを保管する。
【００３９】
最適化環境設定情報が保存される方法について図６に示す。最適化環境設定が完了したコンピュータ上で最適化環境情報の保存用プログラムを動作させ、設定用コードを用意する。最適化環境設定が完了したコンピュータ上に接続している可搬性記憶媒体に設定用コードをコピーし、設定用コードを保存する。
【００４０】
最適化環境設定情報が保存される方法について図７に示す。ネットワークに接続された最適化環境設定が完了したコンピュータ上で、最適化環境設定情報の保存用プログラムを動作させ、設定用コードを用意する。ネットワークに接続された最適化環境設定情報保存用サーバに接続し、設定用コードをコピーし、設定用コードを保存する。
【００４１】
最適化環境設定情報を同じコンピュータで復元する方法、又は他のコンピュータで最適化環境設定情報を複製する方法を図８に示す。既に印刷している最適化されたコンピュータの最適化環境設定情報の設定用コードを用意する。最適化したいコンピュータ上で、最適化環境設定情報復元用プログラムを実行する。印刷された設定用コードを入力し、適用された段階で、最適化環境設定になる。
【００４２】
最適化環境設定情報を同じコンピュータで復元する方法、又は他のコンピュータで最適化環境設定情報を複製する方法を図９に示す。既に可搬性記憶媒体に保存されている最適化されたコンピュータの最適化環境設定情報の設定用コードを用意する。最適化したいコンピュータに可搬性記憶媒体を接続し、設定用コードを最適化したいコンピュータにコピーし、最適化環境設定情報復元用プログラムを実行する。最適化環境設定情報を読み出し、適用された段階で、最適化環境設定になる。
【００４３】
最適化環境設定情報を同じコンピュータで復元する方法、又は他のコンピュータで最適化環境設定情報を複製する方法を図１０に示す。ネットワーク接続された最適化したいコンピュータに、ネットワーク接続された最適化環境設定情報を保存したサーバ上の設定用コードを、最適化したいコンピュータにコピーし、最適化環境設定情報復元用プログラムを実行する。最適化環境設定情報を読み出し、適用された段階で、最適化環境設定になる。
【００４４】
ネットワーク接続されたサーバ上でプログラムを動作させる際、又は最適化されたコンピュータ上でプログラムを動作する際、最適化環境設定情報に基づいてプログラムは使用する機能を付加又は制限する方法を図１１に示す。既に保存されている最適化環境設定情報に基づいて使用する状況、使用者に対して制限を行うことができる。例えば、自動車に搭載されたコンピュータ又はコンピュータシステム又はプログラムでは、入力では音声による認識、表示は音声による読み上げに限定されるなど、状況に応じた最適化環境設定が行われる。
【００４５】
最適化したいコンピュータ又はコンピュータシステムが複数台あった場合でも、最適化環境設定情報を複数台のコンピュータ又はコンピュータシステムにコピーすることより、容易に複製することを図１２に示す。印刷された設定コード、又は可搬性記憶媒体に保存した最適化環境設定情報、又はネットワークに接続したサーバ上に保存した最適化環境設定情報を用いて、複数台のコンピュータ又はコンピュータシステムへ復元又は複製することが出来るため、最適化環境設定したいコンピュータ又はコンピュータシステムの仕様が同じ場合は、容易に最適化環境設定が複製できる。
【００４６】
最適化環境設定をする際のコンピュータシステムの動作を説明するフローチャートを図１３に示す。最適化環境設定を行うために、紙に印刷したメニューから設定を行う方法と可搬性記憶媒体若しくはサーバから、最適化環境設定用ソフトをコピーしてコンピュータ上で動作させる方法、又はサーバ上で最適化環境設定用ソフトを動作させる方法で設定を行う。自動で検出できるコンピュータに付随した製品により、設定項目を選出し、各項目に対し使用者が最も使いやすい設定を選択する。最適化環境設定が完了した段階で、最適化環境設定情報を紙に印刷、若しくは可搬性記憶媒体又はサーバ上に保管することができる。
【００４７】
プログラムにおける最適化環境設定情報の活用方法について図１４に示す。プログラムは実行時に保存されている最適化環境情報を抽出し、表示方法、入力方法、その他コンピュータに付随する機器の個別情報による制御方法などの項目において、機能の付加又は機能の制限を行う。動作環境が適当でないと認められた場合においては機能の制限を行い、代わりの機能を付加する設定が可能となる。
【図面の簡単な説明】
【００４８】
【図１】メニューを用いてコンピュータに最適化環境設定を行う際の構成図及び動作図。
【図２】可搬性記憶媒体を用いてコンピュータに最適化環境設定を行う際の構成図及び動作図。
【図３】ネットワーク接続されたサーバから最適化環境設定用プログラムをダウンロードして、コンピュータに最適化設定を行う際の構成図及び動作図。
【図４】最適化環境設定用プログラムをネットワーク接続されたサーバ上で動作を行う際の構成図及び動作図。
【図５】最適化された設定値を設定コードとして印刷し、保存する際の構成図及び動作図。
【図６】最適化された設定値を可搬性記憶媒体に保存する際の構成図及び動作図。
【図７】最適化された設定値をネットワーク接続されたサーバに保存する際の構成図及び動作図。
【図８】印刷された設定コードを用いて、最適化環境設定を復元又は複製する際の構成図及び動作図。
【図９】可搬性記憶媒体に保存された情報を用いて最適化環境設定を復元又は複製する際の構成図及び動作図。
【図１０】ネットワーク接続されたサーバに保存された情報を用いて、最適化環境設定を復元する際の構成図及び動作図。
【図１１】最適化環境情報を元にコンピュータソフトが機能を付加又は制限する際の構成図及び動作図。
【図１２】複数台のコンピュータに最適化設定を施す際の構成図及び動作図。
【図１３】最適化環境の設定のフローチャート。
【図１４】プログラムの最適化環境設定情報の活用のフローチャート。
【符号の説明】
【００４９】
１ 最適化環境設定がされていないコンピュータ
２ 印刷された最適化環境設定用メニュー
３ 可搬性記憶媒体
４ ネットワーク上に接続されたサーバ
５ ネットワーク
６  最適化環境設定が完了しているコンピュータ
７  印刷機器用接続ケーブル
８  印刷機器
９  設定用コードが印刷された用紙
１０  特殊な使用環境
【図１】
2006235779.tif 000003
【図２】
2006235779.tif 000004
【図３】
2006235779.tif 000005
【図４】
2006235779.tif 000006
【図５】
2006235779.tif 000007
【図６】
2006235779.tif 000008
【図７】
2006235779.tif 000009
【図８】
2006235779.tif 000010
【図９】
2006235779.tif 000011
【図１０】
2006235779.tif 000012
【図１１】
2006235779.tif 000013
【図１２】
2006235779.tif 000014
【図１３】
2006235779.tif 000015
【図１４】
2006235779.tif 000016